(57)【要約】【課題】タッチパネルでのキーボード入力における誤入力を防ぐ入力方法、情報処理装置、タッチパネル及びプログラムを提供する。【解決手段】タッチパネルの画面上への接触の大きさを取得し、当該接触の大きさが閾値より大きいときに、接触が発生したと判断する接触発生判断ステップと、タッチパネルに表示された複数のキーから成り、接触された位置に表示されているキーに対応したコードの入力が行われるソフトウェアキーボードが起動しているときは、閾値の値を所定の値に変更する閾値変更ステップと、を有する。【選択図】図１
2011070491.tif 000002
【特許請求の範囲】
【請求項１】
タッチパネルの画面上への接触の大きさを取得し、当該接触の大きさが閾値より大きいときに、前記接触が発生したと判断する接触発生判断ステップと、
前記タッチパネルに表示された複数のキーから成り、接触された位置に表示されているキーに対応したコードの入力が行われるソフトウェアキーボードが起動しているときは、前記閾値の値を所定の値に変更する閾値変更ステップと、を有することを特徴とする入力方法。
【請求項２】
前記接触発生判断ステップにより前記接触が発生したと判断されたときに、前記タッチパネルの画面上への接触の位置と大きさを取得し、当該接触の位置と大きさに基づき、前記接触による入力値を決定する入力値決定ステップを有することを特徴とする請求項１に記載の入力方法。
【請求項３】
画面上への接触の位置と大きさを検出する接触検出ステップと、
前記接触検出ステップにより検出された接触の大きさが閾値より大きいときに、前記接触が発生したと判断する接触発生判断ステップと、
前記タッチパネルに表示された複数のキーから成り、接触された位置に表示されているキーに対応したコードの入力が行われるソフトウェアキーボードが起動しているときは、前記閾値の値を所定の値に変更する閾値変更ステップと、を有することを特徴とする入力方法。
【請求項４】
前記接触発生判断ステップにより前記接触が発生したと判断されたときに、前記接触検出ステップにより検出された接触の位置と大きさに基づき、前記接触による入力値を決定する入力値決定ステップを有することを特徴とする請求項３に記載の入力方法。
【請求項５】
前記検出ステップにより検出される接触の大きさは、当該接触により前記画面上にかかる圧力の大きさであることを特徴とする請求項１から４のいずれか１項に記載の入力方法。
【請求項６】
前記検出ステップにより検出される接触の大きさは、当該接触による前記画面上における接触面積であることを特徴とする請求項１から４のいずれか１項に記載の入力方法。
【請求項７】
前記検出ステップにより検出される接触の大きさは、当該接触が持続した時間の長さであることを特徴とする請求項１から４のいずれか１項に記載の入力方法。
【請求項８】
前記検出ステップにより検出される接触の大きさは、当該接触による静電容量の変化量であることを特徴とする請求項１から４のいずれか１項に記載の入力方法。
【請求項９】
前記検出ステップにより検出される接触の大きさは、当該接触による電流の変化量であることを特徴とする請求項１から４のいずれか１項に記載の入力方法。
【請求項１０】
前記検出ステップにより検出される接触の大きさは、当該接触による電圧の変化量であることを特徴とする請求項１から４のいずれか１項に記載の入力方法。
【請求項１１】
前記検出ステップにより検出される接触の大きさは、当該接触による赤外線の受光量の変化量であることを特徴とする請求項１から４のいずれか１項に記載の入力方法。
【請求項１２】
前記所定の値は、前記閾値の値よりも大きいことを特徴とする請求項１から１１のいずれか１項に記載の入力方法。
【請求項１３】
前記所定の値は、前記閾値の値よりも大きいタッチパネルの画面上への接触の大きさが閾値より大きいときに、前記接触が発生したと判断する接触発生判断手段と、
前記接触発生判断手段により前記接触が発生したと判断されたときに、前記タッチパネルの画面上への接触の位置と大きさに基づき、前記接触による入力値を決定する入力値決定手段と、
前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とする情報処理装置。
【請求項１４】
画面上への接触の位置と大きさを検出する接触検出手段と、
前記接触検出手段により検出された接触の大きさが閾値より大きいときに、前記接触が発生したと判断する接触発生判断手段と、
前記接触発生判断手段により前記接触が発生したと判断されたときに、前記接触検出手段により検出された接触の位置と大きさに基づき、前記接触による入力値を決定する入力値決定手段と、
前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とする情報処理装置。
【請求項１５】
画面上への接触の位置と大きさを検出する接触検出手段と、
前記接触検出手段により検出された接触の大きさが閾値より大きいときに、前記接触が発生したと判断する接触発生判断手段と、
前記接触発生判断手段により前記接触が発生したと判断されたときに、前記接触検出手段により検出された接触の位置と大きさに基づき、前記接触による入力値を決定する入力値決定手段と、
前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とするタッチパネル。
【請求項１６】
情報処理装置を、
タッチパネルの画面上への接触の大きさを取得し、当該接触の大きさが閾値より大きいときに、前記接触が発生したと判断する接触発生判断手段と、
前記タッチパネルに表示された複数のキーから成り、接触された位置に表示されているキーに対応したコードの入力が行われるソフトウェアキーボードが起動しているときは、前記閾値の値を所定の値に変更する閾値変更手段として機能させるプログラム。
【請求項１７】
情報処理装置を、
前記接触発生判断手段により前記接触が発生したと判断されたときに、前記タッチパネルの画面上への接触の位置と大きさを取得し、当該接触の位置と大きさに基づき、前記接触による入力値を決定する入力値決定手段として機能させる請求項１６に記載のプログラム。
【請求項１８】
タッチパネルを、
画面上への接触の位置と大きさを検出する接触検出手段と、
前記接触検出手段により検出された接触の大きさが閾値より大きいときに、前記接触が発生したと判断する接触発生判断手段と、
前記タッチパネルに表示された複数のキーから成り、接触された位置に表示されているキーに対応したコードの入力が行われるソフトウェアキーボードが起動しているときは、前記閾値の値を所定の値に変更する閾値変更手段として機能させるプログラム。
【請求項１９】
タッチパネルを、
前記接触発生判断手段により前記接触が発生したと判断されたときに、前記接触検出ステップにより検出された接触の位置と大きさに基づき、前記接触による入力値を決定する入力値決定手段として機能させる請求項１８に記載のプログラム。
【発明の詳細な説明】
【技術分野】
【０００１】
本発明は、画面に接触することにより入力を行う入力方法、情報処理装置、タッチパネル及びプログラムに関する。
【背景技術】
【０００２】
タッチパネルは、表示機能と入力機能を備えており、表示画面上を指やペンなどにより触れることにより入力が行われる装置である。このため、タッチパネルを備えた機器では、表示画面のみにより入力を行うことが可能になり、表示画面の他にボタンやキーボードなどが必要なくなる。つまり、タッチパネルを備えることにより、機器を小型にすることができるようになる。
【０００３】
携帯電話などの小型の機器において、タッチパネルを備えた機器が増えている。そこで、タッチパネルでの入力が扱いやすくなるような方法がいろいろと考えられている。例えば、特許文献１では、カーソルの他にカーソルの近くに表示体を表示し、この表示体を使用することにより、簡単な操作で様々な機能を実行できる方法が開示されている。
【０００４】
ソフトウェアにより、タッチパネルの表示画面上にキーボードのキーを表示し、この表示されたキーを指などで触れることでキー入力を行えるようにし、タッチパネルはキーボードとしても使用されている。そこで、タッチパネルをキーボードとして使用しやすくするために、様々な方法が提案されている。
【０００５】
例えば、特許文献２では、ユーザが選択したキー配列のキーボードをタッチパネルの画面上に表示できるようにし、任意のキー配列のキーボードを使用可能にする方法が開示されている。また、特許文献３では、タッチパネルの画面上に表示されたキーボードのキーの部分に穴の開いたカバーを取り付けることにより、キー入力における誤入力を低減する方法が開示されている。
【先行技術文献】
【特許文献】
【０００６】
【特許文献１】特開２００４−１７７９９１号公報
【特許文献２】特開２０００−５６８７７号公報
【特許文献３】特開２００１−１１７７２１号公報
【発明の概要】
【発明が解決しようとする課題】
【０００７】
通常、キーボード入力の際、ホームポジションと呼ばれる位置にあるキーの上に指を置き、この位置から入力したいキーに指を移動し、キーを押圧し、キー入力が行われる。タッチパネルをキーボードとして使用する際には、このホームポジションに置いた指により、キー入力と判断されることもある。また、ホームポジションから入力したいキーに指を移動する際などに、画面に指が触れることがある。この画面への接触も、キー入力と判断されてしまうことがある。
【０００８】
しかしながら、特許文献１〜３において開示された方法を含め、これまでの方法では、このような誤入力を防ぐことができない。また、特許文献３において開示された方法では、ハード的な機構をタッチパネルに追加しなくてはならない。
【０００９】
そこで本発明は、上記問題点に鑑みてなされたもので、タッチパネルでのキーボード入力における誤入力を防ぐ入力方法、情報処理装置、タッチパネル及びプログラムを提供することを目的とする。
【課題を解決するための手段】
【００１０】
上記課題を解決するため、本発明における入力方法は、タッチパネルの画面上への接触の大きさを取得し、当該接触の大きさが閾値より大きいときに、前記接触が発生したと判断する接触発生判断ステップと、前記タッチパネルに表示された複数のキーから成り、接触された位置に表示されているキーに対応したコードの入力が行われるソフトウェアキーボードが起動しているときは、前記閾値の値を所定の値に変更する閾値変更ステップと、を有することを特徴とする。
【００１１】
また、本発明における入力方法は、画面上への接触の位置と大きさを検出する接触検出ステップと、前記接触検出ステップにより検出された接触の大きさが閾値より大きいときに、前記接触が発生したと判断する接触発生判断ステップと、前記タッチパネルに表示された複数のキーから成り、接触された位置に表示されているキーに対応したコードの入力が行われるソフトウェアキーボードが起動しているときは、前記閾値の値を所定の値に変更する閾値変更ステップと、を有することを特徴とする。
【００１２】
また、本発明における情報処理装置は、前記所定の値は、前記閾値の値よりも大きいタッチパネルの画面上への接触の大きさが閾値より大きいときに、前記接触が発生したと判断する接触発生判断手段と、前記接触発生判断手段により前記接触が発生したと判断されたときに、前記タッチパネルの画面上への接触の位置と大きさに基づき、前記接触による入力値を決定する入力値決定手段と、前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とする。
【００１３】
また、本発明における情報処理装置は、画面上への接触の位置と大きさを検出する接触検出手段と、前記接触検出手段により検出された接触の大きさが閾値より大きいときに、前記接触が発生したと判断する接触発生判断手段と、前記接触発生判断手段により前記接触が発生したと判断されたときに、前記接触検出手段により検出された接触の位置と大きさに基づき、前記接触による入力値を決定する入力値決定手段と、前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とする。
【００１４】
また、本発明におけるタッチパネルは、画面上への接触の位置と大きさを検出する接触検出手段と、前記接触検出手段により検出された接触の大きさが閾値より大きいときに、前記接触が発生したと判断する接触発生判断手段と、前記接触発生判断手段により前記接触が発生したと判断されたときに、前記接触検出手段により検出された接触の位置と大きさに基づき、前記接触による入力値を決定する入力値決定手段と、前記タッチパネルに表示された複数のキーから成り、接触された位置に表示されているキーに対応したコードの入力が行われるソフトウェアキーボードが起動しているときは、前記閾値の値を所定の値に変更する閾値変更手段と、を有することを特徴とする。
【００１５】
また、本発明におけるプログラムは、情報処理装置を、タッチパネルの画面上への接触の大きさを取得し、当該接触の大きさが閾値より大きいときに、前記接触が発生したと判断する接触発生判断手段と、前記タッチパネルに表示された複数のキーから成り、接触された位置に表示されているキーに対応したコードの入力が行われるソフトウェアキーボードが起動しているときは、前記閾値の値を所定の値に変更する閾値変更手段として機能させる。
【００１６】
また、本発明におけるプログラムは、タッチパネルを、画面上への接触の位置と大きさを検出する接触検出手段と、前記接触検出手段により検出された接触の大きさが閾値より大きいときに、前記接触が発生したと判断する接触発生判断手段と、前記タッチパネルに表示された複数のキーから成り、接触された位置に表示されているキーに対応したコードの入力が行われるソフトウェアキーボードが起動しているときは、前記閾値の値を所定の値に変更する閾値変更手段として機能させる。
【発明の効果】
【００１７】
本発明により、タッチパネルでのキーボード入力における誤入力を防ぐことができる。
【図面の簡単な説明】
【００１８】
【図１】本発明の実施形態に係る情報処理装置の構成を示す図である。
【図２】本発明の実施形態に係るタッチパネルの構成を示す図である。
【図３】本発明の実施形態に係る情報処理装置における処理動作を示す図である。
【図４】本発明の実施形態に係る情報処理装置における処理動作を示す図である。
【発明を実施するための形態】
【００１９】
次に、本発明を実施するための形態について図面を参照して詳細に説明する。
【００２０】
図１は、本発明の実施形態に係る入力方法により入力が行われる情報処理装置の構成を示す図である。この情報処理装置は、タッチパネル１と制御部２により構成される。図１の構成では、タッチパネル１と制御部２は別個の部分であるが、図２に示すように、タッチパネル１が制御部２を備えるようにしても良い。情報処理装置としては、例えば、タッチパネルを備えたパーソナルコンピュータ（ＰＣ）、ＰＤＡ、携帯電話、ＡＴＭ、ＰＯＳ、券売機などがある。
【００２１】
タッチパネル１は、表示手段１１と、接触検出手段１２と、を備える。タッチパネル１は表示画面を備えており、表示手段１１によりこの表示画面に表示を行い、表示画面上への接触を接触検出手段１２により検出する。タッチパネルはタッチスクリーン（touch screen）とも呼ばれる。タッチパネル１は、後述する制御部２の備える手段を部分的に備えるようにしても良いし、図２に示すように、制御部２全体を備えるようにしても良い。
【００２２】
表示手段１１は、制御部２からの情報と命令に基づき表示を行う。表示手段１１は、例えば、液晶ディスプレイなどである。表示手段１１は、例えば、アイコンなどのＧＵＩ（Graphic User Interface）オブジェクトや、キーボードなどを表示する。
【００２３】
接触検出手段１２は、画面上への接触を検出する。その際、この接触の画面上での位置と大きさを検出する。この検出された接触の位置と大きさの情報は、制御部２に送られる。タッチパネル１の接触検出手段１２には、圧力方式、静電容量方式、抵抗膜方式、表面弾性波方式、赤外線方式などがある。
【００２４】
圧力方式の接触検出手段１２は、指やペンなどにより圧力をかけられた画面上の位置と、この圧力の大きさを検出する。つまり、圧力方式の接触検出手段１２は、接触の位置として、圧力のかけられた画面上の位置を検出し、接触の大きさとして、画面上にかけられた圧力の値を検出する。
【００２５】
静電容量方式の接触検出手段１２は、指などが触れた画面上の位置と、この指などが触れたことによる電流値の変化を検出する。つまり、静電容量方式の接触検出手段１２は、接触の位置として、指などの触れた画面上の位置を検出し、接触の大きさとして、この指などが画面に触れたことによる電流値の変化量を検出する。
【００２６】
また、静電容量方式の接触検出手段１２は、指などが触れた画面上の位置と、この指などが触れたことによる静電容量の変化を検出するものもある。このような静電容量方式の接触検出手段１２は、接触の位置として、指などの触れた画面上の位置を検出し、接触の大きさとして、この指などが触れたことによる静電容量の変化量の値を検出する。
【００２７】
また、静電容量方式の接触検出手段１２は、指などが触れた画面上の位置と、この指などが触れた画面上の面積を検出するものもある。このような静電容量方式の接触検出手段１２は、接触の位置として、指などの触れた画面上の位置を検出し、接触の大きさとして、この指などがふれた画面上の接触面積の値を検出する。
【００２８】
抵抗膜方式の接触検出手段１２は、指やペンなどが触れた画面上の位置と、この指やペンなどが触れたことによる電圧値の変化を検出する。つまり、抵抗膜方式の接触検出手段１２は、接触の位置として、指やペンなどの触れた画面上の位置を検出し、接触の大きさとして、この指やペンなどが画面に触れたことによる電圧値の変化量を検出する。
【００２９】
表面弾性波方式の接触検出手段１２は、指やペンなどが触れた画面上の位置と、この指やペンなどが触れたことによる電圧値の変化を検出する。つまり、表面弾性波方式の接触検出手段１２は、接触の位置として、指やペンなどの触れた画面上の位置を検出し、接触の大きさとして、この指やペンなどが画面に触れたことによる電圧値の変化量を検出する。
【００３０】
赤外線方式の接触検出手段１２は、指やペンなどが触れた画面上の位置と、この指やペンなどが触れたことによる赤外線の受光量の変化を検出する。つまり、表面弾性波方式の接触検出手段１２は、接触の位置として、指やペンなどの触れた画面上の位置を検出し、接触の大きさとして、この指やペンなどが画面に触れたことによる赤外線の受光量の変化量を検出する。
【００３１】
また、上記それぞれの方式の接触検出手段１２において、指など接触している時間を検出するようにしても良い。そして、接触の大きさとして、この接触時間を検出するようにしても良い。
【００３２】
制御部２は、接触発生判断手段２１と、入力値決定手段２２と、閾値変更手段２３と、記憶手段２４と、を備える。記憶手段２４は、ＲＯＭ（Read Only Memory）やＲＡＭ(Random Access Memory)やハードディスクなどであり、図１、２に示すように、制御部２が備えるようにしても良いし、制御部２とは別個であっても良い。また、制御部２は、ＣＰＵ（Central Processing Unit）などを備えるようにし、接触発生判断手段２１と、入力値決定手段２２と、閾値変更手段２３と、は、記憶手段２４にあらかじめ記憶されたプログラムなどにより、ＣＰＵなどが実行するようにしても良い。
【００３３】
接触発生判断手段２１は、タッチパネル２の画面上において、接触の発生したのかどうかを判断する。このとき、接触発生判断手段２１は、接触検出手段１２により検出された接触の大きさの情報を取得し、この接触の大きさの情報により、接触が発生したかどうかの判断を行う。接触発生判断手段２１は、この接触の大きさが所定の閾値より大きい場合に、接触が発生したと判断する。
【００３４】
入力値決定手段２２は、接触発生判断手段２１により接触が発生したと判断されたときに、接触検出手段１２により検出された接触の位置と大きさを取得し、この接触の位置や大きさなどに基づいて、入力値を決定する。例えば、接触の発生した位置がアイコン上であったのであれば、ユーザからこのアイコンの選択の入力がされたことになるようにしても良い。また、例えば、接触の発生した位置がキーボードのキー「Ｘ」上であったのであれば、ユーザによりキー「Ｘ」の選択の入力がされたことになるようにしても良い。また、例えば、接触された位置が特にアイコンなどのない位置であったならば、カーソルの位置の指定の入力がされたことになるようにしても良い。
【００３５】
閾値変更手段２３は、タッチパネル１によりキーボード入力を行うときには、接触発生判断手段２１が接触の発生を判断する際に使用する閾値の値を変更する。つまり、例えば、ソフトウェアキーボードが起動しており、タッチパネル１にキーボードが表示され、タッチパネル１によりキーボード入力が行える状態であるときは、閾値変更手段２３により、接触発生判断手段２１が接触の発生を判断する際に使用する閾値の値が変更される。上述したように、キーボード入力を行う際は、指の移動の際などに画面に触れてしまうことがある。そこで、この移動の際の画面への接触を、接触発生判断手段２１が接触の発生を判断しないように、例えば、閾値を大きな値に変更するようにすると良い。
【００３６】
圧力方式の接触検出手段１２の場合は、閾値を大きくすると良い。キーボードのキーを選択するときなどは、通常、指はキーの表示された位置を強く押圧する。一方、指の移動の際などに指が画面を触れるときは、指は画面を強く押圧することはない。そこで、圧力方式の接触検出手段１２の場合、タッチパネル１をキーボードとして使用するときは、閾値変更手段２３により、閾値を大きな値に変更するようにすると良い。このようにすることにより、誤入力を防ぐことができるようになる。
【００３７】
静電容量方式の接触検出手段１２の場合も、閾値を大きくすると良い。キーボードのキーを選択するときなどは、通常、指はキーの表示された位置を強く押圧するため、接触する面積は大きくなると考えられる。一方、指の移動の際などに指が画面を触れるときは、指は画面を強く押圧することはないため、接触する面積は小さい。そこで、静電容量方式の接触検出手段１２の場合、タッチパネル１をキーボードとして使用するときは、閾値変更手段２３により、閾値を大きな値に変更するようにすると良い。このようにすることにより、誤入力を防ぐことができるようになる。
【００３８】
抵抗膜方式、表面弾性波方式の接触検出手段１２の場合も、閾値を大きくすると良い。キーボードのキーを選択するときなどは、通常、指はキーの表示された位置を強く押圧するため、電圧値の変化は大きくなると考えられる。一方、指の移動の際などに指が画面を触れるときは、指は画面を強く押圧することはないため、電圧値の変化は小さい。そこで、抵抗膜、表面弾性波方式の接触検出手段１２の場合、タッチパネル１をキーボードとして使用するときは、閾値変更手段２３により、閾値を大きな値に変更するようにすると良い。このようにすることにより、誤入力を防ぐことができるようになる。
【００３９】
赤外線方式の接触検出手段１２の場合も、閾値を大きくすると良い。キーボードのキーを選択するときなどは、通常、指はキーの表示された位置を強く押圧するため、接触する面積は大きくなると考えられる。このため、指などにより遮断され、受光されなくなる赤外線の量が大きくなる。一方、指の移動の際などに指が画面を触れるときは、指は画面を強く押圧することはないため、接触する面積は小さい。よって、遮断され、受光されなくなる赤外線の量は小さい。そこで、赤外線方式の接触検出手段１２の場合、タッチパネル１をキーボードとして使用するときは、閾値変更手段２３により、閾値を大きな値に変更するようにすると良い。このようにすることにより、誤入力を防ぐことができるようになる。
【００４０】
また、接触の大きさとして、接触時間を検出する場合も、閾値を大きくすると良い。指の移動の際などは、接触時間は短いと考えられる。よって、接触の大きさとして、接触時間を検出する場合は、閾値変更手段２３により、閾値を大きな値に変更するようにすると良い。このようにすることにより、誤入力を防ぐことができるようになる。
【００４１】
記憶手段２４は、情報の記憶を行う。記憶手段２４には、例えば、接触発生判断手段２１による判断の際に使用される閾値や、閾値変更手段２３による変更後の閾値や、接触検出手段１２により検出された接触の位置や大きさなどが記憶される。
【００４２】
図３は、タッチパネル１によりキーボード入力を行えるようにする際に、本発明の実施形態に係る情報処理装置において行われる処理動作を示す図である。
【００４３】
ソフトウェアキーボードを起動する（Ｓ１０１）。ソフトウェアキーボードの起動は、ユーザにより起動の命令の入力を受けるようにしても良いし、使用中のアプリケーションが自動的に起動するようにしても良い。ユーザによる起動の命令は、タッチパネル１から入力できるようにしても良いし、専用のボタンなどを情報処理装置が備えるようにしても良い。
【００４４】
表示手段２１によりキーボードが表示され、閾値変更手段２３は、接触発生判断手段２１が接触の発生を判断する際に使用する閾値の値を変更する（Ｓ１０２）。
【００４５】
キーボードの表示を終了するときは、ソフトウェアキーボードを終了する（Ｓ１０３）。表示手段２１によるキーボードの表示が終了し、閾値変更手段２３は、接触発生判断手段２１が接触の発生を判断する際に使用する閾値の値をステップＳ１０２による変更の前の値に戻す（Ｓ１０４）。
【００４６】
図４は、タッチパネル１から入力が行われる際に、本発明の実施形態に係る情報処理装置において行われる処理動作を示す図である。
【００４７】
指などが表示手段１１の画面に接触する（Ｓ２０１）。このとき、この接触による画面上での接触の位置と大きさが接触検出手段１２により検出される。この検出された接触の大きさが閾値より大きいときに、接触発生判断手段２１により接触が発生したと判断される（Ｓ２０２）。接触発生判断手段２１により接触が発生したと判断されたときに、接触の位置と大きさに基づいて、入力値決定手段２２により、この接触により入力された入力値が決定される（Ｓ２０３）。
【００４８】
このようにして、タッチパネル１からの入力が行われる。情報処理装置は、この入力値決定手段２２により決定された入力値に基づいた処理を行う。例えば、キーボードのキー「Ｘ」が入力されたのであれば、表示画面に表示手段１１により「Ｘ」を表示するようにする。
【００４９】
上述した実施形態における処理動作は、ハードウェア、または、ソフトウェア、あるいは、両者の複合構成によって実行することも可能である。
【００５０】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００５１】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００５２】
このようなリムーバブル記録媒体は、いわゆるパッケージソフトウェアとして提供することが可能である。
【００５３】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００５４】
また、上記実施形態で説明した処理動作に従って時系列的に実行されるのみならず、処理を実行する装置の処理能力、あるいは、必要に応じて並列的にあるいは個別に実行するように構築することも可能である。
【００５５】
また、上記実施形態で説明したシステムは、複数の装置の論理的集合構成にしたり、各装置の機能を混在させたりするように構築することも可能である。
【００５６】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００５７】
また、本発明における入力方法は、前記接触発生判断ステップにより前記接触が発生したと判断されたときに、前記タッチパネルの画面上への接触の位置と大きさを取得し、当該接触の位置と大きさに基づき、前記接触による入力値を決定する入力値決定ステップを有するようにしても良い。
【００５８】
また、本発明における入力方法は、前記接触発生判断ステップにより前記接触が発生したと判断されたときに、前記接触検出ステップにより検出された接触の位置と大きさに基づき、前記接触による入力値を決定する入力値決定ステップを有するようにしても良い。
【００５９】
また、本発明における入力方法は、前記検出ステップにより検出される接触の大きさは、当該接触により前記画面上にかかる圧力の大きさであるようにしても良い。
【００６０】
また、本発明における入力方法は、前記検出ステップにより検出される接触の大きさは、当該接触による前記画面上における接触面積であるようにしても良い。
【００６１】
また、本発明における入力方法は、前記検出ステップにより検出される接触の大きさは、当該接触が持続した時間の長さであるようにしても良い。
【００６２】
また、本発明における入力方法は、前記検出ステップにより検出される接触の大きさは、当該接触による静電容量の変化量であるようにしても良い。
【００６３】
また、本発明における入力方法は、前記検出ステップにより検出される接触の大きさは、当該接触による電流の変化量であるようにしても良い。
【００６４】
また、本発明における入力方法は、前記検出ステップにより検出される接触の大きさは、当該接触による電圧の変化量であるようにしても良い。
【００６５】
また、本発明における入力方法は、前記検出ステップにより検出される接触の大きさは、当該接触による赤外線の受光量の変化量であるようにしても良い。
【００６６】
また、本発明における入力方法は、前記所定の値は、前記閾値の値よりも大きくしも良い。
【００６７】
また、本発明におけるプログラムは、情報処理装置を、前記接触発生判断手段により前記接触が発生したと判断されたときに、前記タッチパネルの画面上への接触の位置と大きさを取得し、当該接触の位置と大きさに基づき、前記接触による入力値を決定する入力値決定手段として機能させるようにしても良い。
【００６８】
また、本発明におけるプログラムは、タッチパネルを、前記接触発生判断手段により前記接触が発生したと判断されたときに、前記接触検出ステップにより検出された接触の位置と大きさに基づき、前記接触による入力値を決定する入力値決定手段として機能させるようにしても良い。
【符号の説明】
【００６９】
１    タッチパネル
１１    表示手段
１２    接触検出手段
２    制御部
２１    接触発生判断手段
２２    入力値決定手段
２３    閾値変更手段
２４    記憶手段
【図１】
2011070491.tif 000003
【図２】
2011070491.tif 000004
【図３】
2011070491.tif 000005
【図４】
2011070491.tif 000006